(57)【要約】【課題】ノイズを抑制できるように改善された照明システムを提供する。【解決手段】直流給電装置２は、直流電源２ａと、正極出力端子４ａと負極出力端子４ｂとを含む出力端子部４と、給電側接地端子ＰＥと、を備える。正極側インピーダンス素子Ｚ１と負極側インピーダンス素子Ｚ２とからなる直列回路が、直流電源２ａに並列に接続されている。正極側インピーダンス素子Ｚ１と負極側インピーダンス素子Ｚ２との接続点が、給電側接地端子ＰＥに接続されている。ＬＥＤ照明器具１０は、金属筐体１２と、金属筐体１２に設けられた入力コネクタ部８と、金属筐体１２に設けられた器具接地端子ＣＮ３と、スイッチング電源回路部１１と、ＬＥＤ光源部１４と、コンデンサＣ３Ａと、を備える。負極入力配線１１ｂと器具接地端子ＣＮ３との間にコンデンサＣ３Ａを接続する。【選択図】図１
2019030079.tif 000002
【特許請求の範囲】
【請求項１】
直流給電装置と、
照明器具と、
を備え、
前記直流給電装置は、
直流電源と、
前記直流電源の正極に接続した正極出力端子と、
前記直流電源の負極に接続した負極出力端子と、
を備え、
前記照明器具は、
金属筐体と、
前記金属筐体に設けられ、前記金属筐体を接地するための器具接地端子と、
前記金属筐体に収容された光源部と、
前記金属筐体に収容され、前記正極出力端子に接続される正極入力配線と前記負極出力端子に接続される負極入力配線とを含み、前記正極入力配線および前記負極入力配線を介して入力された直流電力を変換することで前記光源部を点灯させるスイッチング電源回路部と、
一端が前記負極入力配線または前記正極入力配線に接続され、他端が直接にまたは前記金属筐体を介して前記器具接地端子に接続されたコンデンサと、
を備える照明システム。
【請求項２】
前記直流給電装置が、
前記直流給電装置を接地するための給電側接地端子と、
一端が前記直流電源の正極と接続された正極側インピーダンス素子と、
一端が前記直流電源の負極と接続され他端が前記正極側インピーダンス素子の他端に接続された負極側インピーダンス素子と、
を備え、
前記正極側インピーダンス素子と前記負極側インピーダンス素子との接続点が、前記給電側接地端子と接続された請求項１に記載の照明システム。
【請求項３】
前記直流給電装置は、
前記直流給電装置を接地するための給電側接地端子と、
一端が前記直流電源の負極と接続され他端が前記給電側接地端子に接続された負極側インピーダンス素子と、
を備える請求項１に記載の照明システム。
【請求項４】
前記コンデンサの前記一端が、前記正極入力配線に接続された請求項３に記載の照明システム。
【請求項５】
前記コンデンサの一端が、前記負極入力配線に接続され、
前記直流給電装置が、
前記直流給電装置を接地するための給電側接地端子と、
一端が前記直流電源の正極と接続され他端が前記給電側接地端子と接続された正極側インピーダンス素子と、
を更に備える請求項１に記載の照明システム。
【請求項６】
前記直流電源が、第一直流電源と、前記第一直流電源と直列接続された第二直流電源と、を含み、
前記直流給電装置は、
前記直流給電装置を接地するための給電側接地端子と、
一端が前記第一直流電源と前記第二直流電源との接続点に接続され、他端が前記給電側接地端子と接続されたインピーダンス素子と、
を更に備える請求項１に記載の照明システム。
【請求項７】
金属筐体と、
前記金属筐体に設けられ、前記金属筐体を接地するための器具接地端子と、
前記金属筐体に収容された光源部と、
前記金属筐体に収容され、正極入力配線と負極入力配線とを含み、前記正極入力配線および前記負極入力配線を介して入力された直流電力を変換することで前記光源部を点灯させるスイッチング電源回路部と、
一端が前記負極入力配線または前記正極入力配線に接続され、他端が直接にまたは前記金属筐体を介して前記器具接地端子に接続されたコンデンサと、
を備える照明器具。
【発明の詳細な説明】
【技術分野】
【０００１】
本発明は、照明システムおよび照明器具に関する。
【背景技術】
【０００２】
太陽光発電および蓄電池が分散電源として普及していることにより、直流電圧を扱うエネルギー源が普及している。近年では、照明器具のＬＥＤ化も進んでいる。従来、例えば特開２０１３−７０５８３号に記載されているとおり、直流電源を用いてＬＥＤ照明を点灯する技術が知られている。
【先行技術文献】
【特許文献】
【０００３】
【特許文献１】特開２０１３−７０５８３号公報
【発明の概要】
【発明が解決しようとする課題】
【０００４】
照明器具は、スイッチング電源回路部を備える。スイッチング電源回路部は、照明器具に入力された直流電圧を所定の直流電圧に変換する。照明器具は、スイッチング電源回路部およびＬＥＤ光源部を収容する金属筐体を備えている。一般的に、直流給電装置から照明器具に電力を供給し、照明器具内でスイッチング電源回路部がＬＥＤ光源部を点灯させるときに、コモンノードノイズが発生する。ノイズの割合としては、スイッチング電源回路部から発生するスイッチングノイズが支配的である。このノイズを抑制する必要があった。
【０００５】
本発明は、上述のような課題を解決するためになされたもので、ノイズを抑制できるように改善された照明システムおよび照明器具を提供することを目的とする。
【課題を解決するための手段】
【０００６】
本発明にかかる照明システムは、
直流給電装置と、
照明器具と、
を備え、
前記直流給電装置は、
直流電源と、
前記直流電源の正極に接続した正極出力端子と、
前記直流電源の負極に接続した負極出力端子と、
を備え、
前記照明器具は、
金属筐体と、
前記金属筐体に設けられ、前記金属筐体を接地するための器具接地端子と、
前記金属筐体に収容された光源部と、
前記金属筐体に収容され、前記正極出力端子に接続される正極入力配線と前記負極出力端子に接続される負極入力配線とを含み、前記正極入力配線および前記負極入力配線を介して入力された直流電力を変換することで前記光源部を点灯させるスイッチング電源回路部と、
一端が前記負極入力配線または前記正極入力配線に接続され、他端が直接にまたは前記金属筐体を介して前記器具接地端子に接続されたコンデンサと、
を備える。
【０００７】
本発明にかかる照明器具は、
金属筐体と、
前記金属筐体に設けられ、前記金属筐体を接地するための器具接地端子と、
前記金属筐体に収容された光源部と、
前記金属筐体に収容され、正極入力配線と負極入力配線とを含み、前記正極入力配線および前記負極入力配線を介して入力された直流電力を変換することで前記光源部を点灯させるスイッチング電源回路部と、
一端が前記負極入力配線または前記正極入力配線に接続され、他端が直接にまたは前記金属筐体を介して前記器具接地端子に接続されたコンデンサと、
を備える。
【発明の効果】
【０００８】
光源部と金属筐体との間の浮遊容量およびスイッチング電源回路部と金属筐体との間の浮遊容量により、ノイズが伝達されていると考えられる。本発明によれば、コンデンサを接続することで、浮遊容量を介して金属筐体に伝わったノイズを、スイッチング電源回路部に戻せるという利点がある。
【図面の簡単な説明】
【０００９】
【図１】本発明の実施の形態にかかる照明システムを示す回路図である。
【図２】本発明の実施の形態にかかる照明システムにおけるノイズ低減効果を説明するためのグラフである。
【図３】本発明の実施の形態にかかる照明システムにおけるノイズ低減効果を説明するためのグラフである。
【図４】本発明の実施の形態にかかる照明システムにおける漏洩電流を説明するための回路図である。
【図５】本発明の実施の形態にかかる照明システムにおける短絡電流を説明するための回路図である。
【図６】本発明の実施の形態の変形例にかかる照明システムを示す回路図である。
【図７】本発明の実施の形態の変形例にかかる照明システムを示す回路図である。
【図８】本発明の実施の形態の変形例にかかる照明システムを示す回路図である。
【図９】本発明の実施の形態の変形例にかかる照明システムを示す回路図である。
【図１０】本発明の実施の形態にかかる照明システムにおけるノイズ低減効果を説明するためのグラフである。
【図１１】本発明の実施の形態にかかる照明システムにおけるノイズ低減効果を説明するためのグラフである。
【発明を実施するための形態】
【００１０】
図１は、本発明の実施の形態にかかる照明システム１を示す回路図である。照明システム１は、直流給電装置２と、ＬＥＤ照明器具１０と、を備える。
【００１１】
（直流給電装置）
直流給電装置２は、直流電源２ａと、正極出力端子４ａと負極出力端子４ｂとを含む出力端子部４と、給電側接地端子ＰＥと、を備える。正極出力端子４ａは、直流電源２ａの正極に接続する。負極出力端子４ｂは、直流電源２ａの負極に接続する。直流給電装置２は、太陽光発電システム、または直流給電バッテリシステムを含む。直流給電装置２が太陽光発電システムである場合、直流電源２ａは太陽電池およびパワーコンディショナなどを含む。直流給電装置２が直流給電バッテリシステムである場合、直流電源２ａは蓄電池などを含む。給電側接地端子ＰＥは、接地電位に接続されている。
【００１２】
直流給電装置２は、正極側インピーダンス素子Ｚ１および負極側インピーダンス素子Ｚ２を備える。正極側インピーダンス素子Ｚ１の一端は直流電源２ａの正極に接続され、正極側インピーダンス素子Ｚ１の他端は給電側接地端子ＰＥに接続される。負極側インピーダンス素子Ｚ２の一端は直流電源２ａの負極に接続され、負極側インピーダンス素子Ｚ２の他端は給電側接地端子ＰＥに接続される。実施の形態では、正極側インピーダンス素子Ｚ１と負極側インピーダンス素子Ｚ２とからなる直列回路が、直流電源２ａに並列に接続されている。正極側インピーダンス素子Ｚ１と負極側インピーダンス素子Ｚ２との接続点が、給電側接地端子ＰＥに接続されている。
【００１３】
（ＬＥＤ照明器具）
ＬＥＤ照明器具１０は、金属筐体１２と、金属筐体１２に設けられた入力コネクタ部８と、金属筐体１２に設けられた器具接地端子ＣＮ３と、スイッチング電源回路部１１と、ＬＥＤ光源部１４と、コンデンサＣ３Ａと、を備える。
【００１４】
入力コネクタ部８は、正極入力コネクタＣＮ１および負極入力コネクタＣＮ２を備える。正極入力コネクタＣＮ１は正極出力端子４ａに接続されている。負極入力コネクタＣＮ２は、負極出力端子４ｂに接続されている。直流給電装置２が出力した直流電圧が、正極入力コネクタＣＮ１および負極入力コネクタＣＮ２に入力される。
【００１５】
器具接地端子ＣＮ３は、金属筐体１２に設けられている。器具接地端子ＣＮ３が接地電位に接続されることで、金属筐体１２が接地される。器具接地端子ＣＮ３と給電側接地端子ＰＥとがそれぞれ接地されることで、器具接地端子ＣＮ３と給電側接地端子ＰＥとが互いに電気的に接続される。
【００１６】
ＬＥＤ光源部１４およびスイッチング電源回路部１１は、金属筐体１２の内部に収容されている。ＬＥＤ光源部１４は、半導体発光素子によって構成されている。半導体発光素子は、無機半導体ＬＥＤであってもよく、有機半導体発光素子でもよい。有機半導体発光素子は、ＯＬＥＤまたは有機ＥＬとも称される。ＬＥＤ光源部１４は、金属筐体１２に設けられた開口部から露出することで、金属筐体１２の外側にＬＥＤ照明光を放出する。
【００１７】
スイッチング電源回路部１１は、正極入力配線１１ａと、負極入力配線１１ｂと、ダイオードＤ１、Ｄ２と、コンデンサＣ１、Ｃ２、Ｃ４と、ＭＯＳＦＥＴＱ１と、制御ＩＣ１７と、コイルＬ１と、抵抗Ｒ１、Ｒ３と、比較器ＯＰ１と、を備えている。
【００１８】
正極入力配線１１ａは、正極入力コネクタＣＮ１を介して正極出力端子４ａと接続されている。負極入力配線１１ｂは、負極入力コネクタＣＮ２を介して負極出力端子４ｂと接続されている。スイッチング電源回路部１１は、正極入力配線１１ａおよび負極入力配線１１ｂを介して入力された直流電力を変換することでＬＥＤ光源部１４を点灯させる。
【００１９】
正極入力配線１１ａは、ダイオードＤ１のアノードに接続されている。ダイオードＤ１のカソードは、コンデンサＣ１の一端とＭＯＳＦＥＴＱ１のドレインの接続点に接続されている。ＭＯＳＦＥＴＱ１のソースは、ダイオードＤ２のカソードとコイルＬ１の一端との接続点に接続されている。コイルＬ１の他端には、コンデンサＣ２の一端が接続される。コンデンサＣ２と並列にＬＥＤ光源部１４が接続されている。コンデンサＣ２の他端には、抵抗Ｒ１の一端が接続されている。ダイオードＤ２のアノードおよび抵抗Ｒ１の他端は、回路グランドに接続されている。コンデンサＣ１の他端はおよび負極入力配線１１ｂは、コンデンサＣ３Ａに接続されている。
【００２０】
ＭＯＳＦＥＴＱ１、ダイオードＤ２、およびコイルＬ１は、バックコンバータ回路を構成している。ダイオードＤ１を介して供給された直流電圧がコンデンサＣ１に充電され、このコンデンサＣ１からバックコンバータ回路へと電圧が入力される。
【００２１】
制御ＩＣ１７は、ＭＯＳＦＥＴＱ１のゲートに繋がるＶｇ端子と、制御ＩＣ１７の動作電源を取得するための制御電源Ｖｃｃ端子と、ＭＯＳＦＥＴＱ１のオン時間を検出するオン時間検出端子ｄｅｔと、ゼロクロス検出用のｚｃｄ端子と、を備えている。オン時間検出端子ｄｅｔには、端子電圧を安定化させるコンデンサＣ４が接続されている。コイルＬ１は二次巻線を有しており、抵抗Ｒ３はこの二次巻線を流れる電流を限流する。制御ＩＣ１７のｚｃｄ端子には、抵抗Ｒ３を介して、二次巻線を流れる電流が入力される。
【００２２】
抵抗Ｒ１とＬＥＤ光源部１４との接続点は、比較器ＯＰ１のマイナス端子に接続されている。比較器ＯＰ１のプラス端子には定電圧源Ｖｒｅｆが印加される。比較器ＯＰ１の出力端子は、制御ＩＣ１７のオン時間検出端子ｄｅｔに接続されている。
【００２３】
バックコンバータ回路は、定電流制御によりＬＥＤ光源部１４を点灯させる。ＭＯＳＦＥＴＱ１がオンしたときに、直流電源２ａおよびコンデンサＣ１からコイルＬ１を介して、コンデンサＣ２とＬＥＤ光源部１４との並列回路に対して、高周波電流が供給される。コンデンサＣ２は、コイルＬ１から得られる高周波電流を平滑する。平滑された高周波電流が、ＬＥＤ光源部１４に供給される。ＭＯＳＦＥＴＱ１がオフすると、ＭＯＳＦＥＴＱ１がオンしているときに蓄えられたコイルＬ１のエネルギーが放出される。このエネルギー放出は、コンデンサＣ２とＬＥＤ光源部１４との並列回路、およびダイオードＤ２を通じて行われる。ＭＯＳＦＥＴＱ１のスイッチング動作が行われることで、コンデンサＣ２およびＬＥＤ光源部１４に定電流制御された直流電流が供給される。
【００２４】
ＬＥＤ光源部１４に流れる電流は、抵抗Ｒ１で電圧に変換される。抵抗Ｒ１で変換された電圧は、比較器ＯＰ１のマイナス端子で検出され、定電圧源Ｖｒｅｆの定電圧と比較される。比較器ＯＰ１での比較結果が制御ＩＣ１７のオン時間検出端子ｄｅｔに入力される。これにより、抵抗Ｒ１に発生した電圧に応じてＭＯＳＦＥＴＱ１のスイッチング動作が制御される。抵抗Ｒ１で変換された電圧と定電圧源Ｖｒｅｆの定電圧との大小に応じて、比較器ＯＰ１は出力電圧を変化させる。制御ＩＣ１７は、比較器ＯＰ１の出力電圧に応じて、抵抗Ｒ１で変換された電圧と定電圧源Ｖｒｅｆの定電圧との差を小さくするようにＭＯＳＦＥＴＱ１のオン時間を制御する。これにより、ＬＥＤ光源部１４を一定にする定電流制御が実現される。コイルＬ１の二次巻き線電圧は、制御ＩＣ１７のｚｃｄ端子で検出される。ｚｃｄ端子の電圧に基づいて、制御ＩＣ１７は、ＭＯＳＦＥＴＱ１がオフしてコイルＬ１からエネルギーを放出したことを検出して、再びＭＯＳＦＥＴＱ１をオンさせる。これはいわゆる臨界モード動作である。
【００２５】
図１に示すように、ＬＥＤ光源部１４とＬＥＤ照明器具１０の金属筐体１２には、第一浮遊容量Ｃ１００がある。スイッチング電源回路部１１と金属筐体１２間には、第二浮遊容量Ｃ１０１がある。第一浮遊容量Ｃ１００および第二浮遊容量Ｃ１０１によりノイズが伝達されることが、ＬＥＤ照明器具１０のノイズ問題要因であると考えられる。ノイズは、直流給電装置２ではなくＬＥＤ照明器具１０に戻すことが好ましい。そこで、実施の形態では、負極入力配線１１ｂと器具接地端子ＣＮ３との間にコンデンサＣ３Ａを接続することにより、ノイズを抑制することにする。図１に示す実施の形態では、コンデンサＣ３Ａの一端は、負極入力配線１１ｂに接続されている。コンデンサＣ３Ａの他端は、器具接地端子ＣＮ３に接続されている。コンデンサＣ３Ａを接続すると、第一浮遊容量Ｃ１００および第二浮遊容量Ｃ１０１を介して金属筐体１２に伝わったノイズを、スイッチング電源回路部１１に戻せるという利点がある。
【００２６】
以下に説明するように、発明者が行った実験結果により、ノイズ抑制効果が確認されている。図２、図３、図１０、および図１１は、本発明の実施の形態にかかる照明システム１におけるノイズ低減効果を説明するためのグラフである。図２が実施の形態の特性であり、図１０は図２のグラフ中の破線四角部を拡大したものである。図３は比較例の説明であり、図１１は図３のグラフ中の破線四角部を拡大したものである。図２にはコンデンサＣ３Ａを設けたときの雑音端子電圧測定結果が示されている。図３は比較例であり、図３にはコンデンサＣ３Ａを設けていないときの雑音端子電圧測定結果が示されている。図２と図３との比較からも分かるように、コンデンサＣ３Ａを設けることで、約２ＭＨｚからノイズレベルを低減する効果が確認されている。
【００２７】
図９は、本発明の実施の形態の変形例にかかる照明システム１０１を示す回路図である。図９に示す変形例にかかる照明システム１０４では、コンデンサＣ３Ａに代えて、コンデンサＣ３Ｂが設けられている。コンデンサＣ３Ｂの一端は、正極入力配線１１ａに接続されている。コンデンサＣ３Ｂの他端は、金属筐体１２に接続されている。コンデンサＣ３Ｂの他端は、金属筐体１２を介して器具接地端子ＣＮ３と接続している。コンデンサＣ３Ｂを接続することによっても、第一浮遊容量Ｃ１００および第二浮遊容量Ｃ１０１を介して金属筐体１２に伝わったノイズを、スイッチング電源回路部１１に戻せるという利点がある。なお、図９ではコンデンサＣ３Ｂの他端が金属筐体１２を介して器具接地端子ＣＮ３と接続しているが、スイッチング電源回路部１１の内部で配線を引き回すことによりコンデンサＣ３Ｂの他端を器具接地端子ＣＮ３に直接に接続しても良い。
【００２８】
コンデンサＣ３Ａ、Ｃ３Ｂを追加すると、ノイズレベルの低減に効果がある。次に、コンデンサＣ３Ａ、Ｃ３Ｂの追加による安全性への影響を検討する。特に、実施の形態では接地ラインにコンデンサＣ３Ａを追加しているので、安全性への影響を検討することが好ましい。検討項目は、漏洩電流と短絡電流である。
【００２９】
（漏洩電流の対策）
図４は、本発明の実施の形態にかかる照明システム１における漏洩電流を説明するための回路図である。コンデンサＣ３Ａによりノイズ低減効果が得られるものの、コンデンサＣ３Ａを介して漏洩電流ＩＬＫが流れてしまうという欠点もある。
【００３０】
直流給電装置２が給電側接地端子ＰＥと負極側インピーダンス素子Ｚ２とを備えているので、漏洩電流ＩＬＫは、金属筐体１２→器具接地端子ＣＮ３→給電側接地端子ＰＥ→負極側インピーダンス素子Ｚ２→直流電源２ａという経路を流れる。漏洩電流ＩＬＫを負極側インピーダンス素子Ｚ２によって流れにくく制限することができる。これにより漏洩電流を抑制できるため、使用者にとって安全な製品を提供することができる。
【００３１】
詳細に説明すると、まず、実施の形態で着目した漏洩電流ＩＬＫには、第一漏洩電流ＩＬＫ１と第二漏洩電流ＩＬＫ２とがある。第一漏洩電流ＩＬＫ１には、第一浮遊漏洩電流ＩＬＫ１１と、第二浮遊漏洩電流ＩＬＫ１２とが含まれる。第一浮遊漏洩電流ＩＬＫ１１は、ＬＥＤ光源部１４と金属筐体１２との間の第一浮遊容量Ｃ１００を通って金属筐体１２に流れる電流である。第二浮遊漏洩電流ＩＬＫ１２は、スイッチング電源回路部１１と金属筐体１２との間の第二浮遊容量Ｃ１０１を通って金属筐体１２に流れる電流である。
【００３２】
第二漏洩電流ＩＬＫ２は、負極入力配線１１ｂからコンデンサＣ３Ａを通って金属筐体１２に流れる電流である。
【００３３】
第一漏洩電流ＩＬＫ１および第二漏洩電流ＩＬＫ２は、器具接地端子ＣＮ３→給電側接地端子ＰＥ→負極側インピーダンス素子Ｚ２→直流電源２ａという経路を流れる。従って、負極側インピーダンス素子Ｚ２で、第一漏洩電流ＩＬＫ１および第二漏洩電流ＩＬＫ２を制限することができる。第一漏洩電流ＩＬＫ１および第二漏洩電流ＩＬＫ２が、負極側インピーダンス素子Ｚ２によって制限される。これにより第一漏洩電流ＩＬＫ１および第二漏洩電流ＩＬＫ２を抑制できるため、使用者にとって安全な製品を提供することができる。
【００３４】
図９に示す変形例では、コンデンサＣ３Ｂを設けている。この場合、正極入力配線１１ａからコンデンサＣ３Ｂを通って金属筐体１２に第三漏洩電流が流れる。この第三漏洩電流も、器具接地端子ＣＮ３→給電側接地端子ＰＥ→負極側インピーダンス素子Ｚ２→直流電源２ａという経路を流れる。従って、負極側インピーダンス素子Ｚ２で、この第三漏洩電流を制限することができる。
【００３５】
（短絡電流の対策）
次に、安全性を確保するために部品故障が起きた際のリスクを考える。図５は、本発明の実施の形態にかかる照明システム１における短絡電流を説明するための回路図である。コンデンサＣ３Ａによりノイズ低減効果が得られるものの、コンデンサＣ３Ａが故障したときには第一短絡電流ＩＳＡが流れるという欠点もある。
【００３６】
コンデンサＣ３Ａが短絡故障すると、直流給電装置２からＬＥＤ照明器具１０を介して第一短絡電流ＩＳＡが流れる。第一短絡電流ＩＳＡは、直流電源２ａの正極→正極側インピーダンス素子Ｚ１→給電側接地端子ＰＥ→接地電位→器具接地端子ＣＮ３→コンデンサＣ３Ａ→負極入力配線１１ｂ→負極入力コネクタＣＮ２→負極出力端子４ｂ→直流電源２ａの負極という経路を流れる。第一短絡電流ＩＳＡは正極側インピーダンス素子Ｚ１で制限されるので、安全を確保することができる。図１に示した実施の形態ではコンデンサＣ３Ａの一端が負極入力配線１１ｂに接続されているので、正極側インピーダンス素子Ｚ１を追加することで短絡電流を制限することができる。
【００３７】
コンデンサＣ３Ｂが短絡故障すると、直流給電装置２からＬＥＤ照明器具１０を介して第二短絡電流ＩＳＢが流れる。第二短絡電流ＩＳＢは、直流電源２ａの正極→コンデンサＣ３Ｂ→金属筐体１２→器具接地端子ＣＮ３→接地電位→給電側接地端子ＰＥ→負極側インピーダンス素子Ｚ２→直流電源２ａの負極という経路を流れる。第二短絡電流ＩＳＢは負極側インピーダンス素子Ｚ２で制限されるので、安全を確保することができる。図９に示した変形例ではコンデンサＣ３Ｂの一端を正極入力配線１１ａに接続しているので、負極側インピーダンス素子Ｚ２で漏洩電流の制限に加えて短絡電流の制限も行うことができる。
【００３８】
なお、コンデンサＣ３Ａ、Ｃ３Ｂが開放故障したときは、過電流等のリスクはなく安全である。
【００３９】
（変形例）
図４に示したように、直流給電装置２が負極側インピーダンス素子Ｚ２を備えることで、金属筐体１２の外に流れ出る電流は少なくとも負極側インピーダンス素子Ｚ２を経由する。従って、コンデンサＣ３Ａ、Ｃ３Ｂの両方に対して、漏洩電流ＩＬＫを制限することができる。短絡電流については、図５に示す経路を通る。直流給電装置２が正極側インピーダンス素子Ｚ１を備えることで、コンデンサＣ３Ａに対して第一短絡電流ＩＳＡを制限することができる。直流給電装置２が負極側インピーダンス素子Ｚ２を備えることで、コンデンサＣ３Ｂに対して第二短絡電流ＩＳＢを制限することができる。
【００４０】
下記の表は、正極側インピーダンス素子Ｚ１、負極側インピーダンス素子Ｚ２、コンデンサＣ３Ａ、Ｃ３Ｂ、および対策される電流の種類をまとめたものである。ＬＥＤ照明器具１０にコンデンサＣ３ＡまたはコンデンサＣ３Ｂを設けた場合に、直流給電装置２に正極側インピーダンス素子Ｚ１と負極側インピーダンス素子Ｚ２のいずれか一方あるいは両方を設けることで、漏洩電流抑制と短絡電流抑制の少なくとも一方の効果が得られることがわかる。
【００４１】
【表１】
2019030079.tif 000003
【００４２】
図１に示した実施の形態の回路では、直流給電装置２の正極出力端子４ａと負極出力端子４ｂの両端を、正極側インピーダンス素子Ｚ１および負極側インピーダンス素子Ｚ２の直列回路で接続している。これに対して、上記の表にまとめた作用効果との関係で、次のような変形を施しても良い。図６〜図８は、本発明の実施の形態の変形例にかかる照明システム１０２〜１０４を示す回路図である。図６の照明システム１０２のように正極側インピーダンス素子Ｚ１のみを設けて、正極出力端子４ａから正極側インピーダンス素子Ｚ１を介して接地電位に接続してもよい。図７の照明システム１０３のように負極側インピーダンス素子Ｚ２のみを設けて、負極出力端子４ｂから負極側インピーダンス素子Ｚ２を介して接地電位に接続してもよい。図８の照明システム１０４のように、二つの直流電源２ａ、２ｂを直列接続してもよい。図８では、直流電源２ａ、２ｂが大きさの等しい直流電圧を出力するので、直流電源全体の１／２の電圧が直流電源２ａ、２ｂの中点に印加される。直流電源２ａ、２ｂの中点から負極側インピーダンス素子Ｚ２を介して接地電位に接続してもよい。図６〜図８において、コンデンサＣ３Ａの代わりに、図９に示したコンデンサＣ３Ｂを設けてもよい。
【符号の説明】
【００４３】
１、１０１〜１０４  照明システム
２  直流給電装置
２ａ、２ｂ  直流電源
４  出力端子部
４ａ  正極出力端子
４ｂ  負極出力端子
８  入力コネクタ部
１０  ＬＥＤ照明器具
１１  スイッチング電源回路部
１１ａ  正極入力配線
１１ｂ  負極入力配線
１２  金属筐体
１４  ＬＥＤ光源部
Ｃ１００  第一浮遊容量
Ｃ１０１  第二浮遊容量
ＣＮ１  正極入力コネクタ
ＣＮ２  負極入力コネクタ
ＣＮ３  器具接地端子
１７  制御ＩＣ
ＩＬＫ  漏洩電流
ＩＬＫ１  第一漏洩電流
ＩＬＫ２  第二漏洩電流
ＩＬＫ１１  第一浮遊漏洩電流
ＩＬＫ１２  第二浮遊漏洩電流
ＩＳＡ  第一短絡電流
ＩＳＢ  第二短絡電流
ＰＥ  給電側接地端子
Ｚ１  正極側インピーダンス素子
Ｚ２  負極側インピーダンス素子
【図１】
2019030079.tif 000004
【図２】
2019030079.tif 000005
【図３】
2019030079.tif 000006
【図４】
2019030079.tif 000007
【図５】
2019030079.tif 000008
【図６】
2019030079.tif 000009
【図７】
2019030079.tif 000010
【図８】
2019030079.tif 000011
【図９】
2019030079.tif 000012
【図１０】
2019030079.tif 000013
【図１１】
2019030079.tif 000014